(57)【要約】【課題】  複数段吊り下げて栽培できなかった着生蘭を、複数段吊り下げて栽培可能にした。【解決手段】  着生蘭を吊り下げ具を有した水抜き穴の無い鉢に植え、ひとつの鉢受け具に、複数の鉢を受けて、空中栽培する。【選択図】図１
2005176818.tif 000002
【特許請求の範囲】
【請求項１】
鉢を安定させる仕組を有する、鉢受け具。
【請求項２】
請求項１記載の鉢受け具に、吊り下げ具を有した、鉢受け具。
【請求項３】
請求項１または請求項２いずれかに記載の鉢受け具に、上の面を下に傾斜させた台を有する、鉢受け具。
【請求項４】
請求項１または請求項２または請求項３いずれかに記載の鉢受け具に、着生蘭を植えた水抜き穴の無い鉢を、複数受けて栽培する、着生蘭の栽培方法。
【発明の詳細な説明】
【技術分野】
【０００１】  本発明は、特願２００１−１２６７０７着生蘭用鉢の受け具と、受け具を用いた栽培方法に関するものである。
【背景技術】
【０００２】  従来は水苔等の植え込み材料で植えられた鉢の、水抜き穴や縁に吊り下げ具を取り付け、温室内の台の上に縦に置かれた太い金網に掛けたり、温室の天井より吊り下げられた太い針金や太い棒に並列に掛けられていた。上下複数の吊り下げは皆無である。
【発明の開示】
【発明が解決しようとする課題】
【０００３】  水抜き穴がある素焼き鉢等に、水苔などで植え込まれており、重く、安定具無しでただ吊り下げた鉢は、丸く不安定であり、屋外では風に飛ばされやすく又、給水時には水抜き穴より水が抜けるので、病気の伝染を避けるためにも、並列一段の吊り下げしか出来ない。台の上の面が平らであるため、水が溜まり、埃が溜まる。吊り下げても場所が広くならないし、実質的には、温室栽培に限定される。
【課題を解決するための手段】
【０００４】  特願２００１−１１２６７９７の鉢は水抜き穴が無く、しかも植え込み材料をほとんど使わない栽培方法の為軽く、水が抜けないので本願発明で、複数受けて栽培する。
【発明の効果】
【０００５】  鉢の一面だけで受けるので、鉢の補強材や、鉢の形成素材や鉢が、鉢を安定させる仕組の安定具と接する部分に、重量が集まり、摩擦が増し、鉢が安定する。鉢を安定させる仕組の穴も、内側から外側の下方に斜めに穿孔しているので、重量のために抜けず、横ぶれしない。１つの受け具に、複数受けることができる。また、台の上の面には傾斜をつけてあるので水が溜まらず、埃が溜まらない。【０００６】  屋内でも屋外でも三次元で展開できるので、鉢の置く場所が約１０倍広くなり美観も増す。複数の鉢を受けて空中栽培するので、空気を好む着生蘭には最適で生育も良い。
【発明を実施するための最良の形態】
【０００７】  図１２の鉢に、着生蘭を植え、鉢の受け具で、複数受けて空中栽培する。
【実施例】
【０００８】  図１（ａ）は正面図で、（ｂ）は、側面図である。図１は鉢を安定させる仕組の穴２を、内側から外側の下方に斜めに穿孔し、鉢を安定させる仕組の安定具３で安定させるようにし、台４の上の面を傾斜させた、鉢受け具１、である。図１２の鉢を受けた場合は、（ｂ）図のようになる。【０００９】  図２（ａ）は正面図で、（ｂ）は、側面図である。図２は鉢を安定させる仕組の穴２を、内側から外側の下方に斜めに穿孔し、鉢を安定させる仕組の安定具３で安定させるようにし、鉢受け具の吊り下げ具５を取り付けた、鉢受け具１、である。図１２の鉢を受けた場合は、（ｂ）図のようになる。【００１０】  図３は、鉢を安定させる仕組の穴２を有する鉢受け具１の、部分斜視図（ｃ）。図３下矢印、図１２の鉢を受けた場合の（ｂ）部分側面図である。【００１１】  図４は鉢を安定させる仕組の穴２を有し、鉢を安定させる仕組の安定具３を有した、鉢受け具１の、部分斜視図（ｃ）と、図４下矢印、図１２の鉢を受けた場合の（ｂ）部分側面図である。竹を半分に割り、中の節を取り、鉢を安定させる仕組の穴を、内側から外側の下方に斜めに穿孔して作ってもよいし、管を加工して作ってもよい。材質は限定しない。この場合は、鉢と接する部分が、鉢を安定させる仕組の安定具３となる。【００１２】  図５は、鉢を安定させる仕組の穴２を有し、鉢を安定させる仕組の安定具３を有した、鉢受け具１の、部分斜視図（ｃ）と、図５下矢印、図１２の鉢を受けた場合の（ｂ）部分側面図である。【００１３】  図６は、鉢を安定させる仕組の穴２を有し、鉢を安定させる仕組の安定具３を有した、鉢受け具１の、部分斜視図（ｃ）と、図６下矢印、図１２の鉢を受けた場合の（ｂ）部分側面図である。この場合は、鉢の補強材の左右を、鉢を安定させる仕組の安定具３で挟み、安定させている。【００１４】  図７、図８、図９、図１０、は、上の面を下に傾斜させた台の正面図であり、図１１、は側面図である。台の上の面に傾斜をつけてあるので水が溜まらず、埃が溜まらない。【００１５】  図１３（ａ）は、鉢受け具１の、鉢を安定させる仕組の穴２に、鉢の補強材７を差し込んだ部分側面図。（ｂ）は鉢受け具１の、鉢を安定させる仕組の穴２に、鉢の補強材７を差し込み、鉢を安定させる仕組の安定具３で固定した、部分側面図。本実施例には、鉢の吊り下げ具６を有する鉢の記載が無いが、図１〜図６の実施例等と本実施例を併用しても良い。請求項１（図３〜６、図１３）は、突き出た６や２、等を利用して自立させる。【００１６】  台や、鉢受け具１や、鉢を安定させる仕組の安定具３の素材は限定しない。図１の台との接合図は一例である。鉢を安定させる仕組の穴２は、鉢の吊り下げ具６、に合わせれば良いし、他の方法でも良い。鉢受け具１の、正面だけでなく、後ろに吊り下げても良いし、鉢受け具１を、三角や四角に組み合わせて、２、３、４、５を用い、三方や四方に吊り下げ、回転可能にしても良い。鉢の吊り下げ具６の鉢を安定させる仕組みは、吊り下げるだけの記載であるが、吊り下げるだけでなく安定具で固定しても良い。鉢を安定させる仕組の穴２、の数も、鉢の数や高さで異なる。どれも、実施例に限定するものではない。
【図面の簡単な説明】
【００１７】
【図１】（ａ）正面図。（ｂ）図１２の鉢を受けた場合の側面図。
【図２】（ａ）正面図。（ｂ）図１２の鉢を受けた場合の側面図。
【図３】（ｃ）部分斜視図。（ｂ）図１２の鉢を受けた場合の部分側面図。
【図４】（ｃ）部分斜視図。（ｂ）図１２の鉢を受けた場合の部分側面図。
【図５】（ｃ）部分斜視図。（ｂ）図１２の鉢を受けた場合の部分側面図。
【図６】（ｃ）部分斜視図。（ｂ）図１２の鉢を受けた場合の部分側面図。
【図７】台の正面図。
【図８】台の正面図。
【図９】台の正面図。
【図１０】台の正面図。
【図１１】図７、図８、図９、図１０、の側面図。
【図１２】（ａ）吊り下げ具付水抜き穴が無い着生蘭用鉢の平面図。（ｂ）側面図。（ｃ）正面図。
【図１３】（ａ）部分側面図。（ｂ）部分側面図。
【符号の説明】
【００１８】１、鉢受け具。２、鉢を安定させる仕組の穴。３、鉢を安定させる仕組の安定具。４、台。５、鉢受け具の吊り下げ具。６、鉢の吊り下げ具。７、鉢の補強材。８、水抜き穴が無い着生蘭用鉢。
【図１】
2005176818.tif 000003
【図２】
2005176818.tif 000004
【図３】
2005176818.tif 000005
【図７】
2005176818.tif 000006
【図８】
2005176818.tif 000007
【図９】
2005176818.tif 000008
【図１０】
2005176818.tif 000009
【図１１】
2005176818.tif 000010
【図１２】
2005176818.tif 000011
【図１３】
2005176818.tif 000012
【手続補正書】
【提出日】平成16年3月9日(2004.3.9)
【手続補正１】
【補正対象書類名】図面
【補正対象項目名】全図
【補正方法】変更
【補正の内容】
【図１】
2005176818.tif 000013
【図２】
2005176818.tif 000014
【図３】
2005176818.tif 000015
【図４】
2005176818.tif 000016
【図５】
2005176818.tif 000017
【図６】
2005176818.tif 000018
【図７】
2005176818.tif 000019
【図８】
2005176818.tif 000020
【図９】
2005176818.tif 000021
【図１０】
2005176818.tif 000022
【図１１】
2005176818.tif 000023
【図１２】
2005176818.tif 000024
【図１３】
2005176818.tif 000025